(57)【要約】      （修正有）【課題】浴室内への埃の吹き出しを抑制することができる浴室乾燥機を提供する。【解決手段】浴室内の空気を吸気口１１４から取り入れて吹出口１１５から浴室内に吹き出す浴室内空気循環運転と、浴室内空気を換気口１０７から屋外に排出する換気運転を行う浴室乾燥機１０において、吹出口１１５と換気口１０７の開度を調節する開閉ダンパー１３０を設け、循環運転開始時には、吹出口１１５を全開し且つファン１２０を回転駆動させる浴室内空気循環制御に先駆けて、開閉ダンパー１３０により吹出口１１５の開度を浴室内空気循環制御時よりも小さくし、且つファン１２０を回転駆動させるクリーニング制御を所定時間行うようにしたので、室内への埃の吹き出しを抑制することができる。【選択図】図１
2010025450.tif 000002
【特許請求の範囲】
【請求項１】
浴室内から吸引した空気を加熱して前記浴室内に吹き出す浴室乾燥機において、
前記浴室内の空気を取り入れる吸気口と、
前記吸気口から取り入れた空気を前記浴室内に戻す循環吹出口と、
前記吸気口と前記循環吹出口とを連結する循環風路と、
前記循環風路内に配置され、回転駆動して前記浴室内の空気を前記吸気口から吸引し、前記循環吹出口から吹き出させるファンと、
前記循環吹出口の開度を調節する開閉ダンパーと、
前記循環吹出口から吹き出す空気を加熱するヒータと、
前記ファン、前記開閉ダンパー及び前記ヒータを制御する制御部と、
使用者が複数の運転モードの中から前記浴室乾燥機に実行させる運転モードを選択し、前記制御部に信号を送信するためのリモコンと、
を備え、
前記制御部は、前記浴室内の空気の少なくとも一部を循環させる循環モードに対応する信号を前記リモコンから受信すると、前記循環吹出口を開放し、且つ前記ファンを回転駆動させる空気循環制御に先駆けて、前記開閉ダンパーにより前記循環吹出口の開度を前記空気循環制御よりも小さくし、且つ前記ファンを回転駆動させるクリーニング制御を所定時間行うことを特徴とする浴室乾燥機。
【請求項２】
前記クリーニング制御における前記ファンの回転速度は、前記空気循環制御における前記ファンの回転速度に比べて大きいことを特徴とする請求項１に記載の浴室乾燥機。
【請求項３】
前記ファンよりも下流で前記循環風路に設けられ、屋外に空気を排出する換気風路に前記循環風路内の空気を排出する換気口をさらに備えたことを特徴とする請求項１に記載の浴室乾燥機。
【請求項４】
前記クリーニング制御において、前記開閉ダンパーは微小の開度で前記循環吹出口を開放することを特徴とする請求項１に記載の浴室乾燥機。
【請求項５】
前記制御部は、前記クリーニング制御において前記ヒータを駆動させることを特徴とする請求項１に記載の浴室乾燥機。
【請求項６】
前記リモコンで選択された運転モードの履歴に関する情報を記憶するメモリをさらに備え、
前記複数の運転モードのいずれかは、前記浴室内から取り入れた空気を前記循環吹出口から吹き出し、前記浴室内に配置された衣類に吹きつけて乾燥させる衣類乾燥モードであり、
前記制御部は、前記メモリに記憶された情報を参照し、前記リモコンで前回選択された運転モードが前記衣類乾燥モードである場合は、他の運転モードである場合に比べて、前記所定時間を長くすることを特徴とする請求項１に記載の浴室乾燥機。
【発明の詳細な説明】
【技術分野】
【０００１】
本発明は、浴室内から吸引した空気を加熱して浴室内に戻す浴室乾燥機に関する。
【背景技術】
【０００２】
浴室の天井に設置され、浴室内の空気を吸引し、その吸引した空気をヒータで加熱して浴室内に戻す暖房・換気装置が知られている（例えば、特許文献１：特開２００２−２８６２７１号公報）。特許文献１に記載された暖房・換気装置では、浴室内の空気を吸い込むための吸込口の上流にフィルターを備えている。このフィルターにより、浴室内から吸い込んだ空気中の埃や塵を取り除くことができる。
【特許文献１】特開２００２−２８６２７１号公報
【発明の開示】
【発明が解決しようとする課題】
【０００３】
このような暖房・換気装置では、フィルターを用いても空気中から取り除くことができなかった埃が、経時的に送風手段や風路に付着・蓄積していく。特に、浴室内は多湿空間であることから、浴室内の空気中の埃も湿気を多分に含んでいることが多く、埃が付着・蓄積しやすい環境にある。そして、送風機が形成する気流によって、送風手段や風路に付着していた埃が離脱し、吹出口から浴室内に吹き出してくることもあり得る。
【０００４】
これを防ぐためには、フィルターの網の目を微細にするなどして埃の除去能力を高め、送風手段や風路への埃の浸入を抑制することが一案である。しかしながら、フィルターの網の目を微細にすると、空気を吸引する際のフィルターによる圧力損失が増大し、浴室内から吸い込む空気の風量が低下してしまうおそれがある。さらに、この風量低下を抑えるために送風手段を活発に駆動させると、暖房・換気装置から発生する騒音や振動が大きくなってしまうという問題がある。
【０００５】
本発明は、かかる課題の認識に基づいてなされたものであり、浴室内への埃の吹き出しを抑制することができる浴室乾燥機を提供することを目的とする。
【課題を解決するための手段】
【０００６】
上記課題を解決するために、本発明に係る浴室乾燥機は、浴室内から吸引した空気を加熱して前記浴室内に吹き出す浴室乾燥機において、前記浴室内の空気を取り入れる吸気口と、前記吸気口から取り入れた空気を前記浴室内に戻す循環吹出口と、前記吸気口と前記循環吹出口とを連結する循環風路と、前記循環風路内に配置され、回転駆動して前記浴室内の空気を前記吸気口から吸引し、前記循環吹出口から吹き出させるファンと、前記循環吹出口の開度を調節する開閉ダンパーと、前記循環吹出口から吹き出す空気を加熱するヒータと、前記ファン、前記開閉ダンパー及び前記ヒータを制御する制御部と、使用者が複数の運転モードの中から前記浴室乾燥機に実行させる運転モードを選択し、前記制御部に信号を送信するためのリモコンと、を備え、前記制御部は、前記浴室内の空気の少なくとも一部を循環させる循環モードに対応する信号を前記リモコンから受信すると、前記循環吹出口を開放し、且つ前記ファンを回転駆動させる空気循環制御に先駆けて、前記開閉ダンパーにより前記循環吹出口の開度を前記空気循環制御よりも小さくし、且つ前記ファンを回転駆動させるクリーニング制御を所定時間行うことを特徴とする。
【０００７】
本発明によれば、使用者がリモコンで循環モードを選択し、リモコンから送信された信号を受信した制御部は、空気循環制御に先駆けてクリーニング制御を所定時間実行する。このクリーニング制御は、開閉ダンパーで循環吹出口の開度を空気循環制御より小さくし、且つファンを回転駆動させるものである。すなわち、循環吹出口の開度を小さくして循環吹出口からの埃の吹き出しを抑制しながら、ファンの回転駆動で発生する空気流により、ファンや循環風路に付着していた埃を強制的に吹き飛ばすクリーニングを行うことができる。したがって、空気循環制御で循環吹出口の開度を大きくして浴室内の空気の循環を行っても、循環吹出口から埃が吹き出してくる事態を抑制することができる。
【０００８】
本発明の好ましい形態では、前記クリーニング制御における前記ファンの回転速度は、前記空気循環制御における前記ファンの回転速度に比べて大きい。
【０００９】
本発明によれば、クリーニング制御において、空気循環制御よりもファンの回転速度を大きくすることで、循環風路内に発生する強い空気流によってファンや循環風路に付着した埃を確実に吹き飛ばすことができる。空気循環制御においては、浴室内の空気の循環に適切な程度までファンの回転速度を落とすことで、無用な騒音や振動を発生させることもない。
【００１０】
本発明の好ましい形態では、前記ファンよりも下流で前記循環風路に設けられ、屋外に空気を排出する換気風路に前記循環風路内の空気を排出する換気口をさらに備えた。
【００１１】
本発明によれば、クリーニング制御において、ファンや循環風路から吹き飛ばした埃を、空気とともに換気口から換気風路に排出し、さらに屋外へ排出することができる。したがって、クリーニング制御において吹き飛ばした埃が循環風路内に滞留し、空気循環制御において循環吹出口から浴室内に吹き出してしまう事態を抑制することができる。
【００１２】
本発明の好ましい形態では、前記クリーニング制御において、前記開閉ダンパーは微小の開度で前記循環吹出口を開放する。
【００１３】
使用者は循環モードの実行を所望してリモコンで選択したにもかかわらず、クリーニング制御が行われている間に循環吹出口から空気が吹き出されず、浴室内の空気の循環が開始されずにいると、浴室乾燥機が故障したとの誤解や違和感を使用者に与えるおそれがある。本発明によれば、クリーニング制御において開閉ダンパーは循環吹出口を完全に閉止せずに、微小の開度で開放することで、循環吹出口から埃が吹き出すおそれを僅かなものとしながら浴室内に空気を吹き出し、上記誤解や違和感を軽減することができる。ここで、「微小の開度」とは、循環吹出口から使用者が認識できる程度の量の空気が吹き出されるまで、循環吹出口を開放する状態を意味するものである。
【００１４】
本発明の好ましい形態では、前記制御部は、前記クリーニング制御において前記ヒータを駆動させる。
【００１５】
本発明によれば、クリーニング制御においてヒータを駆動させておくことで、空気循環制御では、既に高温となっているヒータにより、温風の吹き出しを迅速に開始することができる。
【００１６】
本発明の好ましい形態では、前記リモコンで選択された運転モードの履歴に関する情報を記憶するメモリをさらに備え、前記複数の運転モードのいずれかは、前記浴室内から取り入れた空気を前記循環吹出口から吹き出し、前記浴室内に配置された衣類に吹きつけて乾燥させる衣類乾燥モードであり、前記制御部は、前記メモリに記憶された情報を参照し、前記リモコンで前回選択された運転モードが前記衣類乾燥モードである場合は、他の運転モードである場合に比べて、前記所定時間を長くする。
【００１７】
循環吹出口から吹き出す空気を衣類に吹きつけて乾燥させる衣類乾燥モードでは、空気を吹きつけた際に衣類から繊維が飛散するため、他の運転モードに比べてファンや循環風路に埃（繊維）が付着・蓄積しやすい状況となる。したがって、本発明では、前回リモコンで選択された運転モードが衣類乾燥モードである場合には、多量の埃がファンや循環風路に付着・蓄積しているおそれがあるため、他の運転モードである場合に比べて長時間のクリーニング制御を行う。これにより、ファンや循環風路から埃を確実に吹き飛ばし、循環吹出口からの吹き出しを抑制することができる。
【発明の効果】
【００１８】
本発明は、浴室内への埃の吹き出しを抑制することができる浴室乾燥機を提供する。
【発明を実施するための最良の形態】
【００１９】
以下、図面を参照しつつ本発明の実施の形態について説明する。
図１は、本発明の実施の形態にかかる浴室乾燥機１０の横断面図である。
【００２０】
浴室乾燥機１０は、浴室ＢＲの天井２００の開口２１０に挿入して固定される本体１００と、本体１００の下方を覆うグリル１１０と、を有する。本体１００の内部には、ファン１２０、開閉ダンパー１３０、ヒータ１４０が設けられており、本体１００の天面１０１には、ファン用モータ１５０、制御部１６０が設けられている。
【００２１】
本体１００は浴室乾燥機１０の各要素を取り付ける筐体となるものであって、下端にフランジ１０２を有する箱状に形成されている。このフランジ１０２が浴室ＢＲの天井２００に開設された開口２１０の周縁に当接するまで、本体１００が開口２１０内に挿入される。本体１００は、フランジ１０２と天井２００がビスなどで締結されることで、天井２００に対して固定される。
【００２２】
本体１００の下面１０３には、吸気口１０４および循環吹出口１０５が開設されている。吸気口１０４はファン１２０の下方に位置しており、ファン１２０は吸気口１０４を介して浴室ＢＲ内の空気を吸引する。循環吹出口１０５はファン１２０の側方に位置しており、ファン１２０は吸気口１０４より吸引した空気を循環吹出口１０５から吹き出して浴室ＢＲ内に戻す。このように、本体１００内には、吸気口１０４と循環吹出口１０５とを連結し、浴室ＢＲ内の空気を循環させる循環風路１７０が形成されている。さらに、本体１００の側面１０６には、この循環風路１７０に連通するように換気口１０７が設けられている。換気口１０７には管状の排気ダクト３００が接続されており、排気ダクト３００は、換気口１０７から流入する空気を屋外へと導く風路を形成する。
【００２３】
グリル１１０は本体１００の下方を浴室ＢＲ内から覆い、本体１００に対して着脱可能とされている。グリル１１０には、本体１００の吸気口１０４、循環吹出口１０５のそれぞれに対応する位置に、浴室ＢＲ内に臨むグリル吸気口１１４、グリル吹出口１１５が設けられている。
【００２４】
循環風路１７０内に配置されるファン１２０は、例えばシロッコファンなどであり、電動のファン用モータ１５０によって回転駆動される。ファン１２０は回転駆動することにより、浴室ＢＲ内の空気をグリル吸気口１１４、吸気口１０４を介して吸引し、下流へ吹き出す。ファン用モータ１２０は「高」、「中」、「低」の３段階の回転数でファン１２０を回転駆動させることができるものであり、後述するクリーニング制御では、回転数を「高」として循環風路１７０内に強い空気流を発生させる。
【００２５】
ファン１２０の下流には、開閉ダンパー１３０、ヒータ１４０が設けられている。開閉ダンパー１３０は、開閉ダンパー用モータ１３１によって矢印Ｒの方向に回動可能であるとともに、循環吹出口１０５を閉止して換気口１０７のみを開放する位置（図１の（ａ））、循環吹出口１０５と換気口１０７の双方を開放する位置（図１の（ｂ））、または換気口１０７を閉止して循環吹出口１０５のみを開放する位置（図１の（ｃ））のそれぞれで静止し得る。循環吹出口１０５と換気口１０７の双方を開放する位置では、開閉ダンパー１３０の静止位置によって、ファン１２０から循環吹出口１０５と換気口１０７のそれぞれに指向する空気の比（循環吹出口１０５と換気口１０７のそれぞれの開度）を調節することもできる。
【００２６】
そして、本実施形態においては、循環吹出口１０５を開放して浴室ＢＲ内に空気を吹き出す空気循環制御に先駆けて、循環吹出口１０５を閉止して換気口１０７から空気を排出するクリーニング制御を実行する。こうすることにより、浴室乾燥機１０の中に蓄積された埃などが循環吹出口１０５から浴室ＢＲ内に吹き出すことを防止できる。クリーニング制御については、後に詳述する。
【００２７】
ヒータ１４０は循環吹出口１０５に配置されて空気を加熱するものであり、例えば自己温度制御性を有するＰＴＣ（Ｐｏｓｉｔｉｖｅ  Ｔｅｍｐｅｒａｔｕｒｅ  Ｃｏｅｆｆｉｃｉｅｎｔ：正温度係数）ヒータなど、種々のヒータを採用することができる。
【００２８】
図２は、本発明の実施の形態にかかる浴室乾燥機１０の制御ブロック図である。
【００２９】
制御部１６０は、演算処理を行うＣＰＵ１６１や、情報を記憶するメモリ１６２を備えている。使用者の操作により、リモコン４００は制御部１６０に操作信号を送信する。制御部１６０は、受信したその操作信号に基づいて、ファン用モータ１５０を駆動させてファン１２０を回転駆動させたり、開閉ダンパー用モータ１３１を駆動させて開閉ダンパー１３０の静止位置を変更したり、ヒータ１４０を駆動させたりすることができる。ＣＰＵ１６１は、メモリ１６２に記憶された情報を適宜参照し、その情報に基づいた処理を行うほか、メモリ１６２に新たな情報を記憶させることができる。
【００３０】
図３は、本発明の実施の形態にかかる浴室乾燥機１０のリモコン４００の外観図である。
【００３１】
リモコン４００は、使用者が浴室乾燥機１０を操作するためのユーザインタフェースである。リモコン４００のパネル４１０には、浴室乾燥機１０が実行できる複数の運転モードのそれぞれに対応した運転モードスイッチが設けられている。具体的には、換気モードスイッチ４２０、暖房モードスイッチ４３０、衣類乾燥モードスイッチ４４０の３つの運転モードスイッチが設けられており、使用者は浴室乾燥機１０に実行させたい運転モードに対応した運転モードスイッチを投入する。
【００３２】
また、パネル４１０には液晶表示部４５０が設けられており、運転時間や、循環吹出口１０５から吹き出す空気の温度、運転開始時刻、運転終了時刻など、浴室乾燥機１０の運転の設定に関する諸情報が表示される。使用者は、指示スイッチ４６０ａ、４６０ｂを用いて液晶表示部４５０に表示されるカーソルを移動させ、さらに確定スイッチ４７０を投入するなどして、各設定を適宜変更することができる。この他、パネル４１０には浴室乾燥機１０の運転を終了させるときに投入する終了スイッチ４８０が設けられている。
【００３３】
本実施形態の浴室乾燥機１０が有する運転モードには、大きく分類して「換気モード」と「循環モード」の２つがある。「換気モード」は、使用者が上述の換気モードスイッチ４２０を投入することで実行される運転モードであり、浴室ＢＲ内から吸引した空気を全て屋外へ排出する運転モードをいう。そして「循環モード」は、上述の暖房モードスイッチ４３０または衣類乾燥モードスイッチ４４０を使用者が投入することで実行される運転モードであり、浴室ＢＲ内から吸引した空気の少なくとも一部を、循環吹出口１０５から浴室ＢＲ内に戻して循環させる運転モードの総称である。
【００３４】
以下、図面を参照しつつ、本実施形態の浴室乾燥機１０が有する運転モードについて詳述する。
【００３５】
図４（ａ）は、「換気モード」における浴室乾燥機１０の動作を示す模式図である。使用者が換気モードスイッチ４２０を投入し、制御部１６０がリモコン４００から送信された換気モードスイッチ４２０に対応する制御信号を受信すると、浴室乾燥機１０は換気モードを実行する。具体的には、制御部１６０は、循環吹出口１０５を閉止して換気口１０７のみを開放する位置に開閉ダンパー１３０を配置し、ファン用モータ１５０を駆動させてファン１２０を回転駆動させる。このとき、ヒータ１４０は駆動させない。したがって、回転駆動するファン１２０によって浴室ＢＲ内から吸気口１０４を介して吸引され、本体１００内に流入する空気は、すべて換気口１０７から排気ダクト３００に流入して屋外へ排出される。すなわち、この換気モードの実行により、浴室ＢＲ内の空気の入れ替え（換気）を行うことができる。
【００３６】
図４（ｂ）は、「循環モード」の１つである「暖房モード」における浴室乾燥機１０の動作を示す模式図である。使用者が暖房モードスイッチ４３０を投入し、制御部１６０がリモコン４００から送信された暖房モードスイッチ４３０に対応する制御信号を受信すると、浴室乾燥機１０は暖房モードを実行する。具体的には、制御部１６０は、換気口１０７を閉止して循環吹出口１０５のみを開放する位置に開閉ダンパー１３０を配置し、ファン用モータ１５０を駆動させてファン１２０を回転駆動させ、さらにヒータ１４０を駆動させる。これにより、回転駆動するファン１２０によって浴室ＢＲ内から吸気口１０４を介して吸引され、本体１００内に流入する空気は、加熱されてすべて循環吹出口１０５から浴室ＢＲ内に吹き出される。これにより、浴室ＢＲ内の空気は循環しながらヒータ１４０で加熱されるため、浴室ＢＲ内の温度が上昇する。すなわち、この暖房モードの実行により、浴室ＢＲ内の暖房を行うことができる。
【００３７】
図４（ｃ）は、もう１つの「循環モード」である「衣類乾燥モード」における浴室乾燥機１０の動作を示す模式図である。使用者が衣類乾燥モードスイッチ４４０を投入し、制御部１６０がリモコン４００から送信された衣類乾燥モードスイッチ４４０に対応する制御信号を受信すると、浴室乾燥機１０は衣類乾燥モードを実行する。具体的には、制御部１６０は、循環吹出口１０５と換気口１０７の双方を開放する位置に開閉ダンパー１３０を配置し、ファン用モータ１５０を駆動させてファン１２０を回転駆動させ、さらにヒータ１４０を駆動させる。これにより、回転駆動するファン１２０によって浴室ＢＲ内から吸気口１０４を介して吸引され、本体１００内に流入する空気は、一部が換気口１０７から排気ダクト３００に流入して屋外へ排出される。そして残りの一部が、ヒータ１４０によって加熱されて循環吹出口１０５から浴室ＢＲ内に吹き出され、浴室ＢＲ内を循環する。
【００３８】
衣類乾燥モードの実行により、循環吹出口１０５から吹き出す加熱された空気を濡れた衣類に吹きつけ、乾燥させることができる。一般に、濡れた衣類が高温になると水蒸気が放出されるため、浴室ＢＲ内が高湿度となって衣類の乾燥効率が低下する。しかし、浴室乾燥機１０の衣類乾燥モードによれば、屋外へ排出される一部の空気とともに水蒸気も排出されるため、浴室ＢＲ内の湿度の上昇が抑制される。また、残りの一部の空気は浴室ＢＲ内を循環してヒータ１４０で繰り返し加熱されるため、さらに高温となって衣類の迅速な乾燥が促される。
【００３９】
以上説明した各運転モードのように、浴室ＢＲ内の空気の吸引および吹き出しを行うと、ファン１２０や循環風路１７０に空気中の埃が付着・蓄積してくる。また、衣類乾燥モードの際には、乾燥させる衣類の繊維などが吸気口１０４を介して浴室乾燥機１０内に吸い込まれることもあり得る。特に浴室ＢＲ内は多湿空間であることから、空気中の埃も水分を多分に含んでいることが多く、ファン１２０や循環風路１７０に埃が付着しやすい環境にある。したがって、ファン１２０が形成する気流によって、ファン１２０や循環風路１７０に付着していた埃が離脱し、循環吹出口１０５から浴室ＢＲ内に吹き出してくるおそれがあった。
【００４０】
そこで、本発明の実施の形態にかかる浴室乾燥機１０では、使用者が循環モード（暖房モードまたは衣類乾燥モード）をリモコン４００で選択した場合は、浴室ＢＲ内の空気の循環に先駆けて、ファン１２０や循環風路１７０に付着した埃を強制的に離脱させるクリーニング制御を行う。以下、クリーニング制御について、図面を参照しつつ詳述する。
【００４１】
クリーニング制御について、使用者がリモコン４００で暖房モードスイッチ４３０を投入した場合を例にとって説明する。
図５は、本発明の実施の形態にかかる浴室乾燥機１０の暖房モードにおけるタイミングチャートである。
【００４２】
使用者がリモコン４００の暖房モードスイッチ４３０を投入すると、リモコン４００から暖房モードスイッチ４３０に対応する制御信号が制御部１６０に向け送信される。制御部１６０は、その制御信号を受信すると、まず循環吹出口１０５を閉止して換気口１０７のみを開放する位置に開閉ダンパー１３０を配置し、さらに、回転数を「高」に設定してファン１２０を回転駆動させる「クリーニング制御」を開始する。
【００４３】
暖房モードスイッチ４３０の投入から時間ｔ１が経過すると、制御部１６０はヒータ１４０の駆動を開始させる。この遅延時間ｔ１を設けることにより、開閉ダンパー１３０、ヒータ１４０、ファン用モータ１５０の駆動を同時に開始して、突入電流が過大となる事態を回避できる。
【００４４】
このクリーニング制御においては、ファン１２０は回転数「高」で回転するため強い空気流が発生し、ファン１２０や循環風路１７０に付着していた埃が吹き飛ばされる。ファン１２０や循環風路１７０から吹き飛ばされた埃は、開閉ダンパー１３０が循環吹出口１０５を閉止しているため、浴室ＢＲ内に吹き出されることはなく、空気流とともに換気口１０７から排気ダクト３００に流入し、屋外へ排出される。
【００４５】
暖房モードスイッチ４３０の投入から時間ｔ２が経過すると、制御部１６０は、ファン１２０の回転数を例えば「中」に設定するとともに、さらに循環吹出口１０５を開放する位置に開閉ダンパー１３０を配置する「空気循環制御」を開始する。これにより、空気が循環吹出口１０５から吹き出され、浴室ＢＲ内の空気の循環が開始される。このとき、先駆けて行われたクリーニング制御において既にヒータ１４０が駆動して高温となっているため、循環吹出口１０５からの温風の吹き出しを迅速に開始することができる。空気循環制御では、既に埃が吹き飛ばされたファン１２０や循環風路１７０により、浴室ＢＲ内に埃が吹き出すことのない、快適な運転を行うことができる。
【００４６】
ここで、上記実施形態では、クリーニング制御を行う際は、循環吹出口１０５を完全に閉止し、ファン１２０によって吹き出される空気がすべて換気口１０７へ指向する（換気側１００％）よう開閉ダンパー１３０を配置している。しかしながら、浴室ＢＲ内の暖房を所望して使用者が暖房モードスイッチ４３０を投入したにもかかわらず、先駆けて行われるクリーニング制御において循環吹出口１０５から空気が吹き出されないと、浴室乾燥機１０が故障したとの誤解を使用者に与えるおそれがある。
【００４７】
この問題の解決のため、クリーニング制御において循環吹出口１０５を完全に閉止することなく、微小開度で開放してもよい。すなわち、例えば、ファン１２０が下流に吹き出す空気のうち、１０％程度が循環吹出口１０５に指向し、残り９０％程度が換気口１０７に指向するよう、開閉ダンパー１３０を配置してもよい。これにより、クリーニング制御中に微量でも循環吹出口１０５からの空気を吹き出しが開始したことを使用者に認識させ、上記誤解を与えるおそれを軽減することができる。この場合、クリーニング制御中にファン１２０や循環風路１７０から埃が離脱しても、循環吹出口１０５の開度を微小としているため、浴室ＢＲ内に吹き出すおそれも小さい。
【００４８】
クリーニング制御が行われる時間ｔ２は、搭載されるファン１２０の特性や、使用環境に応じて適宜決定すればよいが、さらにクリーニング制御が効率的に行われるよう、実行された運転モードの履歴に基づいて変更してもよい。以下、図面を参照しつつ詳述する。
図６は、本発明の実施の形態に係る浴室乾燥機１０の動作フローチャートである。
【００４９】
まず、ステップＳ１１において、使用者がリモコン４００で所望の運転モードに対応する運転モードスイッチを投入する。このとき使用者が選択した運転モードをＭ（ｎ）とする。次に、ステップＳ１２において、ＣＰＵ１６１はこのＭ（ｎ）が循環モード（暖房モードまたは衣類乾燥モード）であるか否かを判断する。Ｍ（ｎ）が循環モードではなかった場合（ＮＯ：すなわち、使用者がリモコン４００で換気モードスイッチ４２０を投入した場合）は、制御部１６０は、クリーニング制御を行うことなく、上述した換気モードを実行させる（ステップＳ２１）。
【００５０】
ステップＳ１２において、Ｍ（ｎ）が循環モードであった場合（ＹＥＳ）には、クリーニング制御を行うこととなる。その場合、ステップＳ１３において、ＣＰＵ１６１は前回使用者がリモコン４００で選択して浴室乾燥機１０に実行させた運転モードであるＭ（ｎ−１）をメモリ１６２から読み込む。続いてステップＳ１４において、このＭ（ｎ−１）が衣類乾燥モードであったか否かを判断する。Ｍ（ｎ−１）が衣類乾燥モードでなかった場合（ＮＯ）は、ステップＳ１５で時間ｔ２として例えば５秒を設定し、空気循環制御（ステップＳ１７）に先駆けてクリーニング制御（ステップＳ１６）を５秒間行う。
【００５１】
一方、ステップＳ１４においてＭ（ｎ−１）が衣類乾燥モードであった場合（ＹＥＳ）、ＣＰＵ１６１は時間ｔ２として例えば１０秒を設定する（ステップＳ２２）。すなわち、前回使用者がリモコン４００で選択し、浴室乾燥機１０に実行させた運転モードが衣類乾燥モードであった場合は、衣類乾燥モードでなかった場合に比べて長時間のクリーニング制御が行われるように設定される。
【００５２】
衣類乾燥モードでは、循環吹出口１０５から吹き出される空気を衣類に吹きつけて乾燥させるため、乾燥中は浴室ＢＲ内に衣類の繊維等が飛散する。したがって、前回浴室乾燥機１０が実行した運転モードが衣類乾燥モードである場合、浴室ＢＲ内から空気を吸引するファン１２０や循環風路１７０には、多量の埃が付着している可能性が高い。したがって、ＣＰＵ１６１は長時間のクリーニング制御を設定することにより、付着している埃を換気口１０７から排出させることができる。これにより、空気循環制御において、循環吹出口１０５から浴室ＢＲ内に埃が吹き出す事態を確実に抑制することができる。
【００５３】
各運転モードの実行後は、ＣＰＵ１６１は今回使用者がリモコン１０５で選択した運転モードＭ（ｎ）を、新たなＭ（ｎ−１）としてメモリ１６２に記憶させる（ステップＳ１８）。すなわち、Ｍ（ｎ−１）は各運転モードの実行の都度、更新されるものである。
【００５４】
以上、具体例を参照しつつ、本発明の実施の形態について説明した。しかし本発明は、これらの具体例に限定されるものではない。すなわち、前述した各実施の形態が備える各要素は、技術的に可能な限りにおいて組み合わせることができ、これらを組み合わせたものも本発明の特徴を含む限り本発明の技術的範囲に包摂される。
【図面の簡単な説明】
【００５５】
【図１】本発明の実施の形態にかかる浴室乾燥機１０の横断面図である。
【図２】本発明の実施の形態にかかる浴室乾燥機１０の制御ブロック図である。
【図３】本発明の実施の形態にかかる浴室乾燥機１０のリモコン４００を示す外観図である。
【図４】本発明の実施の形態にかかる浴室乾燥機１０の各運転モードにおける動作を示す模式図である。
【図５】本発明の実施の形態にかかる浴室乾燥機１０の暖房モードにおけるタイミングチャートである。
【図６】本発明の実施の形態に係る浴室乾燥機１０の動作フローチャートである。
【符号の説明】
【００５６】
１０ 浴室乾燥機、  １００ 本体、  １０４ 吸気口、  １０５ 循環吹出口、  １０７ 換気口、  １１０ グリル、  １２０ ファン、  １３０ 開閉ダンパー、  １３１ 開閉ダンパー用モータ、  １４０ ヒータ、  １５０ ファン用モータ、  １６０ 制御部、  １７０ 循環風路、  ２００ （浴室ＢＲの）天井、  ２１０ 開口、  ３００ 排気ダクト、  ４００ リモコン
【図１】
2010025450.tif 000003
【図２】
2010025450.tif 000004
【図３】
2010025450.tif 000005
【図４】
2010025450.tif 000006
【図５】
2010025450.tif 000007
【図６】
2010025450.tif 000008